(57)【要約】【課題】使用後に廃棄する際に分別を必要としない地球環境に優しいクラッカーを提供する。【解決手段】  前端が開閉自在に形成された紙製のクラッカー本体２０と、このクラッカー本体２０の内部に収納された火薬体１０と、クラッカー本体２０の後端部から導出され、その引張り操作により火薬体１０を爆発させる引き紐１１と、この引き紐１１の引張り時に火薬体１０がクラッカー本体２０に対して引張り方向に移動しないように受け止める紙製の受止部２５とを備えている。【選択図】      図１
2006317022.tif 000002
【特許請求の範囲】
【請求項１】
前端が開閉自在に形成された紙製のクラッカー本体と、このクラッカー本体の内部に収納された火薬体と、前記クラッカー本体の後端部から導出され、その引張り操作により前記火薬体を爆発させる引き紐と、この引き紐の引張り時に前記火薬体を前記クラッカー本体に対して引張り方向に移動しないように受け止める紙製の受止部とを備えていることを特徴とするクラッカー。
【請求項２】
前記受止部は、前記火薬体を嵌合係止するための切欠きを備えていることを特徴とする請求項１に記載のクラッカー。
【請求項３】
前記受止部は、前記火薬体を係止するための前記引き紐を挿通させる挿通孔を備えていることを特徴とする請求項１に記載のクラッカー。
【請求項４】
前記受止部は、一枚の紙から前記クラッカー本体と一体に形成されていることを特徴とする請求項２又は請求項３に記載のクラッカー。
【発明の詳細な説明】
【技術分野】
【０００１】
本発明は、パーティー等において雰囲気を盛り上げるために用いられるクラッカーに関する。
【背景技術】
【０００２】
この種のクラッカーは、円錐形状を有する筒状のクラッカー本体と、このクラッカー本体の後部位置に収納される火薬体と、この火薬体を支持する間座体と、火薬体の前方位置でクラッカー本体に収納される受圧板と、この受圧体に支持される紙テープや紙片からなる噴出物とを備えて構成されている。上記クラッカー本体の前縁部には全周に亘って複数のフラップが設けられ、各フラップを内側に折り込むことによってクラッカー本体の前面開口が閉塞されている。また、火薬体には引き紐が通し付けられている。この引き紐は、間座体を貫通して筒状体の後端部から外部に導出されている。従って、クラッカー本体から導出された引き紐を強く引っ張ることにより、火薬体が発火・爆発してその爆圧で受圧体がフラップの開放方向に向けて急速に前進させられ、受圧体に支持されていた噴出物が各フラップを押し広げながら外部に飛び出すことになっている。
【発明の開示】
【発明が解決しようとする課題】
【０００３】
ところで、従来のクラッカーでは、クラッカー本体が紙製である一方、間座体はプラスチックス製である。従って、クラッカーを使用後に廃棄する際には、間座体をクラッカー本体とは分別しなければならないという面倒があった。
【０００４】
そこで、本発明は、このような問題を解決するためになされたもので、使用後に廃棄する際の分別を容易とするクラッカーを提供することを目的とするものである。
【課題を解決するための手段】
【０００５】
上記目的を達成するため、本発明のクラッカーは、前端が開閉自在に形成された紙製のクラッカー本体と、このクラッカー本体内に収納された火薬体と、前記クラッカー本体の後端部から導出され、その引張り操作により前記火薬体を爆発させる引き紐と、この引き紐の引張り時に前記火薬体を前記クラッカー本体に対して引張り方向に移動しないように受け止める紙製の受止部とを備えたことを特徴としている。
【０００６】
前記構成のクラッカーにおいては、引き紐の引張り時に火薬体をクラッカー本体に対して引張り方向に移動しないように受け止める受止部を設けてそれを紙製としたから、使用後においてクラッカー本体と受止部とを分別することなく廃棄できる。
【０００７】
また、本発明のクラッカーは、前記受止部が、前記火薬体を係止するための切欠きを備えていることを特徴としている。この構成によれば、火薬体が切欠きに係合されているので、引き紐の引張り時に火薬体の引き紐の引張り方向への移動を規制できる。
【０００８】
また、本発明のクラッカーは、前記受止部が、前記火薬体を係止するための前記引き紐を挿通させる挿通孔を備えていることを特徴としている。この構成によれば、引き紐を挿通孔に挿通させているので、引き紐の引張り時に火薬体の後端を挿通孔の周辺部に引っ掛けさせることができ、火薬体の引き紐の引張り方向への移動を規制できる。
【０００９】
更に、本発明のクラッカーは、前記受止部が、一枚の紙から前記クラッカー本体と一体に形成されていることを特徴としている。この構成によれば、受止部がクラッカー本体と一体に形成されているので、クラッカーの構成部品の点数を抑えることができる。
【発明の効果】
【００１０】
本発明によれば、引き紐の引張り時に火薬体をクラッカー本体に対して引張り方向に移動しないように受け止める受止部を紙製としたから、使用後に廃棄する際に分別の手間が少なくなるという効果を有する。
【発明を実施するための最良の形態】
【００１１】
以下、本発明の実施形態を図面に基づき説明する。図１乃至図３は本発明のクラッカーの第１実施形態を示す。図１乃至図３において、このクラッカーＡは、火薬体１０と、この火薬体１０を内部に収納するクラッカー本体２０とから構成されている。
【００１２】
火薬体１０は、所定量の火薬を棒状に紙巻きした公知のものであり、内部に引き紐１１が通し付けられている。引き紐１１はクラッカー本体２０の後端部から外部に導出されており、この引き紐１１を引張り操作することによって火薬体１０を発火・爆発できる。
【００１３】
図３は、クラッカー本体２０の展開図を示しており、当該クラッカー本体２０は、厚紙を所定の形状に裁断した１枚の台紙２１からなり、この台紙２１を折り畳むことによって三角形状の扁平な巻き筒状に形成されている。
【００１４】
台紙２１は、上下に長い三角形状を有する前壁部２２の左右両辺に当該前壁部２２と同じ三角形状を有する外側後壁部２３及び内側後壁部２４を折曲自在にそれぞれ連設し、内側後壁部２４の左辺に台形形状を有する受止部２５を折曲自在に連設する。前壁部２２の上辺には左右に長い三角形状を有する蓋部２６を折曲自在に連設し、外側後壁部２３の適宜の位置には蓋部２６の三角先端部２６ａが差込可能な差込口２７を形成している。受止部２５の上辺には半円弧状の切欠きとその下端部より下方に延びる長溝状の切欠きとを組み合わせた切欠き２８が設けられており、この切欠き２８に火薬体１０を係合し、火薬体１０を図示しない粘着テープ等で台紙２１の受止部２５に止め付けている。
【００１５】
台紙２１を、図３に示す状態から、先ず、受止部２５を内側後壁部２４側に折り返し、次いで、内側後壁部２４を受止部２５とともに前壁部２２側に折り返し、更に、外側後壁部２３を前壁部２２側に折り返した後、蓋部２６を前壁部２２側に外側後壁部２３に重なるように折り返し、この後、蓋部２６の三角先端部２６ａを外側後壁部２３の差込口２７に差し込み係止することにより、クラッカー本体２０が組み立てられる。
【００１６】
クラッカーＡは、台紙２１をクラッカー本体２０に組み立てる際に、台紙２１の受止部２５の切欠き２８に引き紐１１の先端に付けた火薬体１０を係合し、火薬体１０を図示しない粘着テープ等で台紙２１の受止部２５に止め付けている。クラッカー本体２０の切欠き２８に係合された火薬体１０は、引き紐１１の引張り時にクラッカー本体２０の切欠き２８に引っ掛かり、クラッカー本体２０に対して引き紐１１の引張り方向への移動が規制される。
【００１７】
クラッカーＡは前述の如く構成されており、次にその使用要領について説明する。クラッカー本体２０を片手で把持した状態で、他方の手で引き紐１１を掴んで引張り操作する。すると、クラッカー本体２０の受止部２５に係止されて移動が規制されている火薬体１０に対して引き紐１１に引張り力が作用し、この引き紐１１の摺動摩擦によって火薬体１０が発火・爆発される。火薬体１０の爆発による圧力はクラッカー本体２０の蓋部２６に作用し、蓋部２６は三角先端部２６ａを差込口２７から抜き出して勢いよく開かれ、適宜な爆発音が前方に放出される。
【００１８】
上記クラッカーＡにおいては、火薬体１０の火薬を除き全て紙を材料として使用しているから、使用後においては、そのまま可燃ごみとして廃棄すればよく、分別を必要としない。また、焼却又は埋め立て処理した際にも環境に悪影響を及ぼさない。従って、使用後の廃棄に手間を要さず、しかも、地球環境に優しいという効果を奏する。
【００１９】
また、上記クラッカーＡにおいては、クラッカー本体２０が扁平で嵩張らないから、保管時及び搬送時のスペースが小さくて済み、保管効率及び搬送効率を高めることができて経済的である。
【００２０】
更に、上記クラッカーＡにおいては、クラッカー本体２０を折り畳みによって製造できるから、糊等で糊付けする必要がなくて従来のクラッカーに比べ簡単に製造でき、作業性や生産性を向上できる。
【００２１】
図４乃至図６は、本発明のクラッカーの第２実施形態を示す。この第２実施形態のクラッカーＢでは、火薬体１０を三角錐筒体からなるクラッカー本体３０の内部に収納するとともに、火薬体１０に通し付けた引き紐１１をクラッカー本体３０の下端部から外部に導出させている。
【００２２】
図６は、クラッカー本体３０の展開図を示し、当該クラッカー本体３０は、厚紙を所定の形状に裁断した１枚の台紙３１からなり、この台紙３１を組み立てることによって三角錐筒体に形成されている。
【００２３】
台紙３１は、上下に長い三角形状を有する３つの側壁部３２，３３，３４を折曲自在に連設し、各側壁部３２，３３，３４の上辺に例えば、花弁、台形形状等（図面では台形形状を示す）を有する複数のフラップ部３５，３６，３７を折曲自在にそれぞれ連設する。左側の側壁部３２の左辺には糊代部３８を折曲自在に連設し、この糊代部３８の左辺には三角形状を有する受止部３９を折曲自在に連設する。受止部３９の上辺には半円弧状の切欠きとその下端部より下方に延びる長溝状の切欠きとを組み合わせた切欠き４０が設けられており、この切欠き４０に火薬体１０を係合し、火薬体１０を図示しない粘着テープ等で台紙３１の受止部３９に止め付けている。
【００２４】
台紙３１を、図６に示す状態からクラッカー本体３０に組み立てるには、先ず、受止部３９を糊代部３８側に所定の角度（約３０°）に折り曲げ、次いで、糊代部３８を受止部３９とともに左側の側壁部３２側に所定の角度（約６０°）に折り曲げ、更に、左側の側壁部３２を中央の側壁部３３側に所定の角度（約６０°）に折り曲げるとともに、右側の側壁部３４を中央の側壁壁３３側に所定の角度（約６０°）に折り曲げて三角錐筒状に巻いた後、糊代部３８を右側の側壁部３４の右辺部内側に糊付けして三角錐筒体に形成する。この後、フラップ部３５，３６，３７を順次折り曲げるとともに、各フラップ部３５，３６，３７をお互いに係止することにより三角錐筒体の前端開口を閉塞してクラッカー本体３０に組み立てられる。
【００２５】
クラッカーＢは、台紙３１をクラッカー本体３０に組み立てる際に、台紙３１の受止部３９の切欠き４０に引き紐１１の先端に付けた火薬体１０を係合し、火薬体１０を図示しない粘着テープ等で受止部３９に付け止めている。クラッカー本体３０の切欠き４０に係合された火薬体１０は、引き紐１１の引張り時にクラッカー本体３０の切欠き４０に引っ掛かり、クラッカー本体３０に対して引き紐１１の引張り方向への移動が規制される。
【００２６】
クラッカーＢは前述の如く構成されており、次にその使用要領について説明する。クラッカー本体３０を片手で把持した状態で、他方の手で引き紐１１を掴んで引張り操作する。すると、クラッカー本体３０の受止部３９に係止されて移動が規制されている火薬体１０に対して引き紐１１に引張り力が作用し、この引き紐１１の摺動摩擦によって火薬体１０が発火・爆発される。火薬体１０の爆発による圧力はクラッカー本体３０の前端開口を閉塞していた複数のフラップ部３５，３６，３７に作用し、フラップ部３５，３６，３７が前方側に勢いよく飛び出して前端開口が開かれ、適宜な爆発音が前方に放出される。
【００２７】
クラッカーＢにおいては、火薬体１０の火薬を除き全て紙を材料として使用しているから、使用後に廃棄する際には、そのまま可燃ごみとして廃棄すればよく、分別を必要としない。また、焼却又は埋め立て処理した際にも環境に悪影響を及ぼさない。従って、使用後の廃棄に手間を要さず、しかも、地球環境に優しいという効果を奏する。
【００２８】
尚、クラッカーＢは、クラッカー本体３０が三角錐筒体であるが、クラッカー本体３０は三角錐筒体に限らず、その他の多角錐筒体或いは円錐筒体であっても構わない。
【００２９】
また、クラッカーＢは、適宜な爆発音が出るだけの構成であるが、適宜な爆発音と同時に紙テープや紙片からなる噴出物が飛び出す構成であっても構わない。この場合には、クラッカー本体３０の火薬体１０の前方位置に受圧体と噴出物が収納され、火薬体１０の爆圧で受圧体が急速に前進させられて噴出物が外部に飛び出すことになる。
【００３０】
図７及び図８は、本発明のクラッカーの第３実施形態を示す。この第３実施形態のクラッカーＣでは、火薬体１０を受止部材５０に係止し、この受止部材５０を三角錐筒体からなるクラッカー本体６０の内部に収納するとともに、火薬体１０に通し付けられた引き紐１１をクラッカー本体６０の後端部から外部に導出させている。
【００３１】
受止部材５０は、図８に示すように、厚紙を台形形状に裁断したものであり、その上辺に長溝状の切欠き５１を設け、この切欠き５１に引き紐１１の先端に付けた火薬体１０を係合し、火薬体１０を図示しない粘着テープ等で止め付けることによって火薬体１０を係止させている。このように受止部材５０に係止された火薬体１０は、引き紐１１の引張り時に受止部材５０の切欠き５１に引っ掛かり、受止部材５０に対して引き紐１１の引張り方向への移動が規制される。
【００３２】
クラッカー本体６０は、厚紙で三角錐筒体に形成され、前端開口周縁に順次折り畳むことによって前端開口を閉塞可能とする複数のフラップ部６１，６１…を折曲自在に連設する。
【００３３】
クラッカーＣは、火薬体１０を係止させた受止部材５０をクラッカー本体６０の内部に収納し、火薬体１０に通し付けられた引き紐１１をクラッカー本体６０の後端部から外部に導出させた後、クラッカー本体６０の前端開口を複数のフラップ部６１，６１…で閉塞することにより組み立てられる。その際、クラッカー本体６０の内部に収納された受止部材５０は、クラッカー本体６０の下端側に向かって徐々に狭くなる内壁面により後端側への移動が規制される。これにより、受止部材５０に係止された火薬体１０は、引き紐１１の引張り時にクラッカー本体６０に対して引き紐１１の引張り方向への移動が規制される。
【００３４】
クラッカーＣは前述の如く構成されており、次にその使用要領について説明する。クラッカー本体６０を片手で把持した状態で、他方の手で引き紐１１を掴んで引張り操作する。すると、クラッカー本体６０の収納された受止部材５０に係止されて移動が規制されている火薬体１０に対して引き紐１１に引張り力が作用し、この引き紐１１の摺動摩擦によって火薬体１０が発火・爆発される。火薬体１０の爆発による圧力はクラッカー本体６０の前端開口を閉塞していた複数のフラップ部６１，６１…に作用し、各フラップ部６１，６１…が前方側に勢いよく飛び出して前端開口が開かれ、適宜な爆発音が前方に放出される。
【００３５】
クラッカーＣにおいては、火薬体１０の火薬を除き全て紙を材料として使用しているから、使用後に廃棄する際には、そのまま可燃ごみとして廃棄すればよく、分別を必要としない。また、焼却又は埋め立て処理した際にも環境に悪影響を及ぼさない。従って、使用後の廃棄に手間を要さず、しかも、地球環境に優しいという効果を奏する。
【００３６】
尚、クラッカーＣは、火薬体１０を切欠き５１に嵌合係止させて火薬体１０を受け止めるようにした受止部材５０を用いているが、この受止部材５０に限らず、その他の紙製の受止部材、例えば、図９に示す如き、Ｕ字状に二つ折にした受止部材７０を用いても構わない。この受止部材７０は、厚紙をＵ字形状に二つ折りして二つの折曲片７１を有するとともに、折曲部中央に火薬体１０に通し付けられた引き紐１１を挿通し得る挿通孔７２を設けている。受止部材７０は、二つの折曲片７１の間に火薬体１０を介在させて該火薬体１０に通し付けられた引き紐１１を挿通孔７２に挿通することにより、引き紐１１の引張り時に火薬体１０の後端を挿通孔７２の周辺部に引っ掛けさせることができ、火薬体１０の引き紐１１の引張り方向への移動を規制できる。
【００３７】
また、クラッカーＣは、クラッカー本体６０が三角錐筒体であるが、クラッカー本体６０は三角錐筒体に限らず、その他の多角錐筒体或いは円錐筒体であっても構わない。尚、受止部材５０及び６０は、必ずしも紙で成形する形成する必要はなく、紙以外で形成しても構わない。
【００３８】
また、クラッカーＣは、適宜な爆発音が出るだけの構成であるが、適宜な爆発音と同時に紙テープや紙片からなる噴出物が飛び出す構成であっても構わない。この場合には、クラッカー本体６０の火薬体１０の前方位置に受圧体と噴出物が収納され、火薬体１０の爆圧で受圧体が急速に上昇させられて噴出物が外部に飛び出すことになる。
【図面の簡単な説明】
【００３９】
【図１】第１実施形態のクラッカーを示す図面で、（ａ）は正面図、（ｂ）は側面図、（ｃ）は背面図である。
【図２】図１のII−II線における断面図である。
【図３】クラッカー本体の展開図である。
【図４】第２実施形態のクラッカーを示す図面で、（ａ）は正面図、（ｂ）は平面図である。
【図５】図４のＶ−Ｖ線における断面図である。
【図６】クラッカー本体の展開図である。
【図７】第３実施形態のクラッカーを示す図面で、（ａ）は正面図、（ｂ）は平面図である。
【図８】受止部材を示す図面で、（ａ）は火薬体を繋止した状態での正面図、（ｂ）はその側面図である。
【図９】受止部材の他の例を示す図面で、（ａ）は展開図、（ｂ）は火薬体を繋止した状態での正面断面図、その側面断面図である。
【符号の説明】
【００４０】
Ａ…クラッカー、１０…火薬体、１１…引き紐、２０…クラッカー本体、２１…台紙、２２…前壁部、２３…外側後壁部、２４…内側後壁部、２５…受止部、２６…蓋部、２７…差込口、２８…切欠き、Ｂ…クラッカー、３０…クラッカー本体、３１…台紙、３２，３３，３４…側壁部、３５，３６，３７…フラップ部、３８…糊代部、３９…受止部、４０…切欠き、Ｃ…クラッカー、５０…受止部材、５１…切欠き、６０…クラッカー本体、６１…フラップ部、７０…受止部材、７１…折曲片、７２…挿通孔
【図１】
2006317022.tif 000003
【図２】
2006317022.tif 000004
【図３】
2006317022.tif 000005
【図４】
2006317022.tif 000006
【図５】
2006317022.tif 000007
【図６】
2006317022.tif 000008
【図７】
2006317022.tif 000009
【図８】
2006317022.tif 000010
【図９】
2006317022.tif 000011